(57)【特許請求の範囲】
【請求項１】
受動光ネットワークにおいて端末装置を管理するための方法であって、前記受動光ネットワークが、光回線終端装置（OLT）および光ネットワークユニット（ONU）を含み、前記ＯＬＴは、ギガビットイーサネット（登録商標、以下同じ）を使用することによって前記ＯＮＵに接続され、前記方法は、
レイヤ２ネットワークプロトコルに基づき、かつ前記ＯＬＴと前記ＯＮＵとの間にあるレイヤ２チャネルを前記ＯＬＴによって確立するステップと、
前記ＯＮＵを管理するための管理命令を、前記レイヤ２チャネルを使用することによって、前記ＯＬＴによって、前記ＯＮＵに送信するステップと、を含み、
レイヤ２ネットワークプロトコルに基づくレイヤ２チャネルを、前記ＯＬＴによって確立する前記ステップは、
イーサネットプロトコルに基づき、第１の運用、管理、および保守（ＯＡＭ）パケットを前記ＯＬＴによって前記ＯＮＵに送信するステップであって、前記第１のＯＡＭパケットは、チャネル確立コマンド識別子を搬送する、送信するステップと、
前記ＯＮＵの第２のＯＡＭパケットを前記ＯＬＴによって受信するステップであって、前記第２のＯＡＭパケットは、前記レイヤ２チャネルの確立に成功したことを示すコマンド識別子を搬送する、受信するステップと、を含む、
方法であって、
前記第２のＯＡＭパケットは、拡張ＯＡＭパケットであり、前記拡張ＯＡＭパケットは、特定のメッセージタイプのTLV(Type-Length-Value)を搬送するためのフィールドを含む、メッセージタイプを搬送するためのフィールドを有する、
方法。
【請求項２】
前記ＯＮＵを管理するための管理命令を、前記レイヤ２チャネルを使用することによって前記ＯＬＴによって前記ＯＮＵに送信する前記ステップは、特に、
前記ＯＮＵのメディアアクセス制御（ＭＡＣ）アドレス識別子を使用することによって、対応するチャネル識別子を検出するステップと、
前記チャネル識別子と対応するチャネルを使用することによって、前記管理命令を前記ＯＮＵに送信するステップと、を含む、
請求項１に記載の方法。
【請求項３】
前記チャネル識別子が、前記ＯＬＴ上のサブラック、スロット、およびポートの数の組合せを含む、請求項２に記載の方法。
【請求項４】
前記ＯＮＵを管理するための管理命令を、前記レイヤ２チャネルを使用することによって前記ＯＬＴによって前記ＯＮＵに送信する前記ステップは、特に、
前記レイヤ２チャネルを使用することによって、前記ＯＬＴによって第３のＯＡＭパケットを前記ＯＮＵに送信するステップであって、前記第３のＯＡＭパケットは、前記管理命令を搬送する、送信するステップを含む、
請求項１に記載の方法。
【請求項５】
前記方法は、さらに、
前記レイヤ２チャネルを使用することによって、前記ＯＬＴによって鍵を前記ＯＮＵに送信するステップであって、前記鍵は、受信されたＯＡＭパケットを復号するために、前記ＯＮＵによって使用される、
請求項１乃至４の何れか一項に記載の方法。
【請求項６】
光回線終端装置（ＯＬＴ）が、
ギガビットイーサネットを使用することによって光ネットワークユニット（ＯＮＵ）に接続され、およびレイヤ２ネットワークプロトコルに基づいてレイヤ２チャネルを確立するように構成された、光送受信機であって、前記光送受信機は、イーサネットプロトコルに基づき、第１の運用、管理、および保守（ＯＡＭ）パケットを前記ＯＮＵに送信するように、特に構成され、前記第１のＯＡＭパケットは、チャネル確立コマンド識別子を搬送し、並びに前記光送受信機は、前記ＯＮＵの第２のＯＡＭパケットを受信するように、特に構成され、前記第２のＯＡＭパケットは、前記レイヤ２チャネルの確立に成功したことを示すコマンド識別子を搬送する、光送受信機と、
前記光送受信機に指示して、前記レイヤ２チャネルを使用することによって、前記ＯＮＵを管理するための管理命令を前記ＯＮＵに送信するよう構成された、プロセッサと、を含む、
ＯＬＴであって、
前記第２のＯＡＭパケットは、拡張ＯＡＭパケットであり、前記拡張ＯＡＭパケットは、特定のメッセージタイプのTLV(Type-Length-Value)を搬送するためのフィールドを含む、メッセージタイプを搬送するためのフィールドを有する、
ＯＬＴ。
【請求項７】
前記ＯＮＵのメディアアクセス制御（ＭＡＣ）アドレスと、前記レイヤ２チャネルの識別子との間の対応を格納するように構成された、メモリであって、前記プロセッサは、前記ＯＮＵの前記ＭＡＣアドレスを使用することによって、前記メモリの前記レイヤ２チャネルの前記識別子を検出するようにさらに構成された、メモリを含む、請求項６に記載のＯＬＴ。
【請求項８】
ギガビットイーサネットを使用することによって光回線終端装置（ＯＬＴ）に接続され、およびイーサネットプロトコルに基づき、第１の運用、管理、および保守（ＯＡＭ）パケットを前記ＯＬＴから受信するように構成され、前記第１のＯＡＭパケットは、チャネル確立コマンド識別子を搬送し、および第２のＯＡＭパケットを前記ＯＬＴに送信するように構成され、前記第２のＯＡＭパケットは、レイヤ２チャネルの確立に成功したことを示すコマンド識別子を搬送する、光送受信機と、
前記確立されたレイヤ２チャネルを使用することによって、前記ＯＬＴから管理命令を受信し、前記管理命令に従って構成を実行するように構成された、プロセッサと、を含む、
光ネットワークユニットであって、
前記第２のＯＡＭパケットは、拡張ＯＡＭパケットであり、前記拡張ＯＡＭパケットは、特定のメッセージタイプのTLV(Type-Length-Value)を搬送するためのフィールドを含む、メッセージタイプを搬送するためのフィールドを有する、
光ネットワークユニット（ＯＮＵ）。
【請求項９】
前記プロセッサが、前記レイヤ２チャネルを使用することによって、第３のＯＡＭパケットを受信するように特に構成され、前記第３のＯＡＭパケットは、前記管理命令を搬送する、請求項８に記載のＯＮＵ。
【請求項１０】
請求項６または７に記載のＯＬＴと、請求項８または９に記載のＯＮＵと、を含む、受動光ネットワーク。
【発明の詳細な説明】
【技術分野】
【０００１】
本発明は、ＰＯＮ（Passive Optical Network、受動光ネットワーク）に関し、特にＰＯＮにおける端末装置を管理するための方法、装置、およびシステムに関する。
【背景技術】
【０００２】
現在のＰＯＮにおいて、ＯＮＵ（Optical Network Unit、光ネットワークユニット）の管理は、ＯＬＴ（Optical Line Terminal、光回線終端装置）を使用することによって実装される。ライブネットワークにおいて、典型的な方法は、レイヤ３プロトコルを使用することによってＯＬＴ上のＯＮＵを管理する、例えば、レイヤ３に基づいてTelnetまたはＳＮＭＰプロトコルを使用することによってＯＮＵを管理することである。この方法において、レイヤ３ネットワークが切断された場合、ＯＬＴはＯＮＵを管理することができず、ソフトウェア試運転保守要員は、ホスティング問題を解決するためにサイトに行く必要があり、保守費用が非常に高い。
【発明の概要】
【課題を解決するための手段】
【０００３】
本発明の一態様は、受動光ネットワークにおいて端末装置を管理するための方法を提供し、受動光ネットワークは、光回線終端装置（ＯＬＴ）および光ネットワークユニット（ＯＮＵ）を含み、ＯＬＴは、ギガビットイーサネット（登録商標、以下同じ）を使用することによってＯＮＵに接続され、該方法は、
レイヤ２ネットワークプロトコルに基づき、かつＯＬＴとＯＮＵとの間にあるチャネルをＯＬＴによって確立するステップと、
ＯＮＵを管理するための管理命令を、該チャネルを使用することによって、ＯＬＴによって、ＯＮＵに送信するステップと、を含み、
レイヤ２ネットワークプロトコルに基づくチャネルを、ＯＬＴによって確立するステップは、
イーサネットプロトコルに基づき、第１の運用、管理、および保守（ＯＡＭ）パケットをＯＬＴによってＯＮＵに送信するステップであって、前記第１のＯＡＭパケットは、チャネル確立コマンド識別子を搬送する、送信するステップと、
ＯＮＵの第２のＯＡＭパケットをＯＬＴによって受信するステップであって、第２のＯＡＭパケットは、チャネルの確立に成功したことを示すコマンド識別子を搬送する、受信するステップと、を含む。
【０００４】
本発明の一態様は、光回線終端装置（ＯＬＴ）を提供し、該ＯＬＴは、
ギガビットイーサネットを使用することによって光ネットワークユニット（ＯＮＵ）に接続され、およびレイヤ２ネットワークプロトコルに基づいたチャネルを確立するように構成された、光送受信機であって、該光送受信機は、イーサネットプロトコルに基づき、第１の運用、管理、および保守（ＯＡＭ）パケットをＯＮＵに送信するように、特に構成され、第１のＯＡＭパケットは、チャネル確立コマンド識別子を搬送し、並びに光送受信機は、ＯＮＵの第２のＯＡＭパケットを受信するように、特に構成され、第２のＯＡＭパケットは、チャネルの確立に成功したことを示すコマンド識別子を搬送する、光送受信機と、
光送受信機に指示して、チャネルを使用することによって、ＯＮＵを管理するための管理命令をＯＮＵに送信させるように構成された、プロセッサと、を含む。
【０００５】
本発明の一態様は、光ネットワークユニット（ＯＮＵ）を提供し、該ＯＮＵは、
ギガビットイーサネットを使用することによって光回線終端装置（ＯＬＴ）に接続され、およびイーサネットプロトコルに基づき、第１の運用、管理、および保守（ＯＡＭ）パケットをＯＬＴから受信するように構成され、第１のＯＡＭパケットは、チャネル確立コマンド識別子を搬送し、および第２のＯＡＭパケットをＯＬＴに送信するように構成され、第２のＯＡＭパケットは、チャネルの確立に成功したことを示すコマンド識別子を搬送する、光送受信機と、
確立されたチャネルを使用することによって、ＯＬＴから管理命令を受信し、管理命令に従って構成を実行するように構成された、プロセッサと、を含む。
【０００６】
本態様において提供される端末装置を管理するための方法および装置において、レイヤ２プロトコルに基づくチャネルは、ＯＬＴとＯＮＵとの間に確立され、ＯＬＴとＯＮＵとの間のレイヤ３接続において障害が発生した場合、ＯＬＴは、レイヤ２チャネルを使用することによって、ＯＮＵを管理するための管理命令をＯＮＵに送信してもよい。このような方法で、保守要員は試運転を行うためのサイトに行く必要がなく、従って保守費用を削減することができる。
【図面の簡単な説明】
【０００７】
本発明の実施形態または従来技術の技術的解決策を明確に説明するために、以下に実施形態または従来技術を説明するために必要な添付図面を簡単に紹介する。明らかに、以下の説明における添付図面は、本発明のいくつかの実施形態を示しているだけであり、当業者は創造的な努力なしにこれらの添付図面から別の図面をさらに導くことができる。
【図１】本発明の一実施形態に従った、システムのアーキテクチャ図である。
【図２】本発明の一実施形態に従った、方法の流れ図である。
【図３】本発明の一実施形態に従った、拡張ＯＡＭパケットの構造の概略図である。
【図４】本発明の一実施形態に従った、メッセージタイプを示すパケットの構造の概略図である。
【図５】本発明の一実施形態に従った、ＯＬＴの構造の概略図である。
【図６】本発明の一実施形態に従った、ＯＮＵの構造の概略図である。
【発明を実施するための形態】
【０００８】
以下、本発明の実施形態における技術的解決策を、本発明の実施形態における添付図面を参照して明確かつ完全に説明する。明らかに、記載された実施形態は、本発明の実施形態の一部に過ぎず、全てではない。創造的努力なしに本発明の実施形態に基づいて当業者によって得られる全ての実施形態は、本発明の保護範囲に入るものとする。
【０００９】
本発明の実施形態は、図1に示されるような、ＯＬＴ１０、ＯＮＵ１２を含むＰＯＮを提供し、ＯＬＴ１０はＧＥ（Gigabit Ethernet、ギガビットイーサネット）を使用することによってＯＮＵ１２に接続される。
【００１０】
図１において、ＯＬＴ１０とＯＮＵ１２との間のレイヤ３ネットワークが切断されているとき、レイヤ２ネットワークプロトコル（ショートのためのレイヤ2チャネル）に基づいたチャネルは、チャネルを使用することによってＯＮＵ１２を管理するために、ＯＬＴ１０とＯＮＵ１２との間で確立されてもよい。レイヤ２チャネルの確立は、チャネルを確立するために必要な情報を運ぶための既存のイーサネットＯＡＭ（Operation, Administration and Maintenance、運用、管理、および保守）を拡張することによって、実装されてもよい。情報を受信した後、ＯＮＵ１２は、チャネルが確立されたことを示すためにＯＬＴ１０に成功応答メッセージを返す。ＯＮＵ１２によって送信された成功応答メッセージは、拡張ＯＡＭパケットであってもよい。
【００１１】
レイヤ２チャネルが確立されたあと、ＯＬＴ１０は、ＯＮＵ１２を管理するための管理命令をレイヤ２チャネルを使用してＯＮＵ１２に送信してもよい。送信方法は、ＯＡＭパケットを拡張する方法における管理命令のような搬送方法であってもよい。管理命令を受信した後、ＯＮＵ１２は、管理命令を使用することによって、構成を実行してもよい。
【００１２】
特に、図１の構造に基づいて、ＯＬＴがＯＮＵを管理する方法のプロセスが図２に示され、以下を含む。
【００１３】
S200：ＯＬＴは、第１のＯＡＭパケットをＯＮＵに送信し、送信された第１のＯＡＭパケットはチャネル確立コマンド識別子を搬送する。
【００１４】
この実施形態において、既存のＯＡＭパケットは、レイヤ２チャネルを確立するために拡張される必要があり、対応する識別子が使用され、それによってＯＮＵはＯＡＭパケットをチャネル確立パケットとして識別する。既存のＯＡＭパケットは図３に示され、“subtype”は予備のフィールドであり、フィールドはこの実施形態において拡張される必要があり、それによってフィールドはＯＡＭパケットの特定のメッセージタイプを搬送する。搬送されたメッセージタイプのフォーマットは、図４に示される。図４において、“Data/pad”フィールドは、特定のメッセージタイプのＴＬＶ（Type-Length-Value、タイプ長さ値）を搬送する。各メッセージタイプはＴＬＶのタイプに対応し、異なるＴＬＶは、以下の表に示すように、異なるタイプを使用することによって識別される。
【００１５】
【表１】
0006459099.tif 000002
【００１６】
このステップにおいて、ＯＬＴによってＯＮＵに送信された第１のＯＡＭパケットで、“subtype”フィールドで搬送されたメッセージタイプが図４に示され、ここで“Data/pad”フィールドは、タイプが“0x01”であるＴＬＶを搬送する。
【００１７】
S210：ＯＮＵは、第２のOAMパケットをOLTに送信し、第２のOAMパケットは、チャネルの確立に成功したことを示すコマンド識別子を搬送する。
【００１８】
ＯＮＵは、第１のＯＡＭパケットを受信し、および“Data/pad”フィールドの値に従って、第１のＯＡＭパケットがレイヤ２チャネルの確立をネゴシエーションするために使用されることを識別する。従って、ＯＮＵは第１のＯＡＭパケットからＳＭＡＣ（Source Media Access Control、ソースＭＡＣ）アドレスを取得し、ＳＭＡＣアドレスを、レイヤ２チャネルを識別するための識別情報として使用する。
【００１９】
ＯＮＵは第２のＯＡＭパケットをＯＬＴに送信する。第２のＯＡＭパケットは、いくつかのパケットフォーマットを第１のＯＡＭとして有し、チャネルが確立に成功したことを示すコマンド識別子を搬送し、ここで、“Data/pad”フィールドはタイプが“0x02”であるＴＬＶを搬送し、これはレイヤ２チャネルの確立に成功したことを示す。
【００２０】
S220：ＯＬＴは、ＯＮＵを管理するための管理命令を、レイヤ２チャネルを使用することによってＯＮＵに送信する。
【００２１】
第２のＯＡＭパケットを受信した後、ＯＬＴは、第２のＯＡＭパケット内のチャネルの確立に成功したことを示すコマンド識別子に従って、レイヤ２チャネルが確立に成功したことを知ってもよく、ＯＮＵを管理するための管理命令を、レイヤ２チャネルを使用することによってＯＮＵに送信してもよい。
【００２２】
ＯＬＴ上で、ＯＮＵに接続されたＯＬＴ上のサブラック、スロット、およびポートの数は、レイヤ２チャネルの識別情報として使用されてもよく、ＯＮＵのＭＡＣアドレスとレイヤ２チャネルの識別情報との間の対応が確立される。レイヤ２チャネルの対応する識別情報は、ＯＮＵのＭＡＣアドレスに従って検出されてもよく、それによってＯＮＵを管理するための管理命令が、検出されたレイヤ２チャネルを使用することによってＯＮＵに送信されてもよい。
【００２３】
管理命令をＯＮＵに送信するための、ＯＬＴによって使用される方法は、ＯＮＵに第３のＯＡＭパケットを送信することであってもよい。第３のＯＡＭパケットは、第１のＯＡＭパケットと同様の方法で拡張され、ここで“Data/pad”フィールドは、タイプが“0x03”であるＴＬＶを搬送し、ＴＬＶの値フィールドは、特定の管理命令を搬送する。第３のＯＡＭパケットを受信した後、ＯＮＵは、特定の管理命令を引出し、管理命令に従って構成を実行する。
【００２４】
任意で、管理命令に従った構成が完了した後、ＯＮＵは、レイヤ２チャネルを使用することによって、構成完了応答メッセージをＯＬＴにさらに返してもよい。応答メッセージを送信するための方法は、ＯＡＭパケットを拡張することであってもよい。
【００２５】
任意で、ＯＬＴは、レイヤ２チャネルをさらに暗号化してもよく、レイヤ２チャネルで受信したパケットをＯＮＵが正しく復号化できるように、ＯＬＴはレイヤ２チャネルを使用することによってＯＮＵに鍵を送信してもよい。送信方法は、第１のＯＡＭパケットと同様であってもよく、ここで“Data/pad”フィールドは、タイプが“0x03”であるＴＬＶを搬送し、ＴＬＶの値フィールドは鍵を搬送する。別の実施形態において、鍵は第１のＯＡＭパケットで搬送されてもよく、ＯＮＵに送信されてもよい。
【００２６】
この実施形態において提供される端末装置を管理するための方法において、レイヤ２プロトコルに基づくチャネルが、ＯＬＴとＯＮＵとの間で確立され、およびＯＬＴとＯＮＵとの間のレイヤ３接続において障害が発生した場合、ＯＬＴは、レイヤ２チャネルを使用することによって、ＯＮＵを管理するための管理命令をＯＮＵに送信してもよい。このような方法で、保守要員は試運転を行うためのサイトに行く必要がなく、従って保守費用を削減することができる。
【００２７】
本発明の実施形態は、ＯＬＴを提供する。図５に示すように、ＯＬＴは、光送受信機５０とプロセッサ５２を含む。光送受信機５０は、ＧＥを使用することによって、ＯＮＵに接続するように構成され、光送受信機５０は、光モジュールおよび同様のものであってもよい。プロセッサ５２は、ＣＰＵ、マイクロプロセッサ、および同様のものであってもよい。プロセッサ５２は、光送受信機５０内に組み込まれてもよく、あるいは光送受信機５０と独立していてもよく、論理回路、バス、および同様のものを使用することによって光送受信機５０に接続されてもよい。
【００２８】
光送受信機５０は、ＧＥを使用することによって、光ネットワークユニットＯＮＵに接続され、レイヤ２ネットワークプロトコルに基づいてチャネルを確立するように構成される。光送受信機は、イーサネットプロトコルに基づいて第１のＯＡＭパケットをＯＮＵに送信するように構成され、第１のＯＡＭパケットは、チャネル確立コマンド識別子を搬送し、および光送受信機は、ＯＮＵの第２のＯＡＭパケットを受信するように構成され、第２のＯＡＭパケットは、チャネルが確立に成功したことを示すコマンド識別子を搬送する。
【００２９】
プロセッサ５２は、光送受信機５０に指示して、ＯＮＵを管理するための管理命令を、チャネルを使用することによってＯＮＵに送信させるように構成される。
【００３０】
光送受信機５０が第１のＯＡＭパケットを送信する特定のプロセスについては、前述の実施形態の記述を参照されたい。プロセッサ５２が、管理命令をＯＮＵに送信するように光送受信機５０に命令するプロセスは、管理命令が拡張ＯＡＭパケット、即ち第３のＯＡＭパケットを使用することによってＯＮＵに送信されることであってもよい。確立されたチャネルを使用することによって管理命令をＯＮＵに送信するための特定の方法は、前述の実施形態に詳細に記述されている。
【００３１】
本実施形態で提供されるＯＬＴは、メモリ５４をさらに含み、これは確立されたチャネルの識別情報、例えば、ＯＬＴ上のサブラック、スロット、およびポートの数を格納するように構成されてもよく、チャネルの識別情報とＯＮＵのＭＡＣアドレスとの間の対応を格納してもよい。従って、チャネルを検出する場合、プロセッサ５２は、ＯＮＵのＭＡＣアドレスに従って対応する識別子を検出してもよく、および対応するチャネルをさらに検出してもよい。
【００３２】
本実施形態で提供されるＯＬＴにおいて、レイヤ２プロトコルに基づくチャネルは、ＯＬＴとＯＮＵとの間に確立され、ＯＬＴとＯＮＵとの間のレイヤ３接続において障害が発生した場合、ＯＬＴは、レイヤ２チャネルを使用することによって、ＯＮＵを管理するための管理命令をＯＮＵに送信してもよい。このような方法で、保守要員は試運転を行うためにサイトに行く必要がなく、従って保守費用を削減することができる。
【００３３】
本発明の実施形態は、ＯＮＵを提供する。図６に示すように、ＯＮＵは、光送受信機６０とプロセッサ６２とを含む。光送受信機６０は、ＧＥを使用することによって、ＯＬＴに接続するように構成され、光送受信機６０は、光モジュールおよび同様のものであってもよい。プロセッサ６２は、ＣＰＵ、マイクロプロセッサ、および同様のものであってもよい。プロセッサ６２は、光送受信機６０内に組み込まれてもよく、あるいは光送受信機６０と独立していてもよく、論理回路、バス、および同様のものを使用することによって光送受信機６０に接続されていてもよい。
【００３４】
光送受信機６０は、イーサネットプロトコルに基づいて第１のＯＡＭパケットをＯＬＴから受信するように構成され、第１のＯＡＭパケットは、チャネル確立コマンド識別子を搬送し、および光送受信機は、第２のＯＡＭパケットをＯＬＴに送信するように構成され、第２のＯＡＭパケットは、チャネルが確立に成功したことを示すコマンド識別子を搬送する。
【００３５】
プロセッサ６２は、確立されたチャネルを使用することによって、ＯＬＴから管理命令を受信し、管理命令に従って構成を実行するように構成される。
【００３６】
特に、チャネルを使用することによって、ＯＬＴの管理命令をプロセッサ６２によって受信することは、ＯＬＴの第３のＯＡＭパケットを受信することであってもよく、ここで第３のＯＡＭパケットは、拡張の方法で管理命令を搬送する。このような管理命令を取得した後、プロセッサ６２は管理命令に従って構成を実行してもよい。
【００３７】
本実施形態で提供されたＯＮＵにおいて、レイヤ２プロトコルに基づくチャネルは、ＯＬＴとＯＮＵとの間で確立され、ＯＬＴとＯＮＵとの間のレイヤ３接続において障害が発生した場合、ＯＬＴは、レイヤ２チャネルを使用することによって、ＯＮＵを管理するための管理命令をＯＮＵに送信してもよい。このような方法で、保守要員は試運転を行うためにサイトに行く必要がなく、従って保守費用を削減することができる。
【００３８】
当業者は、実施形態における方法のステップの全てまたは一部が、関連するハードウェアを指示するプログラムによって実行され得ることを理解することができる。プログラムは、ＲＯＭ／ＲＡＭ、磁気ディスク、あるいは光ディスクなどのコンピュータ可読記憶媒体に格納されてもよい。
【００３９】
前述の説明は、本発明の特定の実施形態に過ぎず、本発明の保護範囲を限定することを目的とするものではない。本発明において開示された技術的範囲において、当業者によって容易に推測されるいかなる変更や置き換えも、本発明の保護範囲に含まれるものとする。従って、本発明の保護範囲は、特許請求の範囲の保護範囲に属するものとする。
【符号の説明】
【００４０】
５０  光送受信機
５２  プロセッサ
５４  メモリ
６０  光送受信機
６２  プロセッサ
【図１】
0006459099.tif 000003
【図２】
0006459099.tif 000004
【図３】
0006459099.tif 000005
【図４】
0006459099.tif 000006
【図５】
0006459099.tif 000007
【図６】
0006459099.tif 000008